(57)【要約】  本発明は、第１の金属素子に固定し接続されるＵＳＢソケットと、第１の回転軸を介して第２の金属素子に接続される前記第１の金属素子と、端末印刷回路基板（ＰＣＢ）のメインボードの接地面に電気的に接続される前記第２の金属素子とを備え、前記ＵＳＢソケットを回転するとき、前記ＵＳＢソケットにより前記第１の金属素子が、前記第１の回転軸を介し第１の所定角度を回転するように従動するＵＳＢインターフェースと、端末を提供する。該ＵＳＢインターフェースにより、コンピュータのメインボードと端末ＰＣＢボートとの間の良好な電気的連通が実現され、等価的に端末ＰＣＢボードの長さが延長され、端末製品がＰＣＢボードの長さが足りないことによるアンテナ性能の低下という問題が顕著に改善され、端末通信製品のアンテナ性能が効果的に改善されることが図る。
2015515066.tif 000002
【特許請求の範囲】
【請求項１】
第１の金属素子に固定し接続されるＵＳＢソケットと、
第１の回転軸を介して第２の金属素子に接続される前記第１の金属素子と、
端末印刷回路基板ＰＣＢのメインボードの接地面に電気的に接続される前記第２の金属素子と、を備え、
前記ＵＳＢソケットを回転するとき、前記ＵＳＢソケットにより前記第１の金属素子が、前記第１の回転軸を介し第１の所定角度を回転するように従動することを特徴とするＵＳＢインターフェース。
【請求項２】
請求項１に記載のＵＳＢインターフェースであって、前記第１の回転軸が金属素子である、ＵＳＢインターフェース。
【請求項３】
請求項１に記載のＵＳＢインターフェースであって、前記第１の所定角度は２７０°である、ＵＳＢインターフェース。
【請求項４】
請求項１に記載のＵＳＢインターフェースであって、前記接地面は、銅の光沢処理がされた銅塗布領域である、ＵＳＢインターフェース。
【請求項５】
請求項１に記載のＵＳＢインターフェースであって、第３の金属素子と第２の回転軸とをさらに備え、
前記第３の金属素子は、前記第１の金属素子と前記第２の金属素子との間に接続され、前記第３の金属素子と前記第１の金属素子とは第２の回転軸を介して接続され、前記ＵＳＢソケットを回転するとき、前記ＵＳＢソケットにより、前記第３の金属素子が、第２の回転軸を介し第２の所定角度を回転するように従動する、ＵＳＢインターフェース。
【請求項６】
請求項５に記載のＵＳＢインターフェースであって、前記第２の回転部材は金属素子である、ＵＳＢインターフェース。
【請求項７】
請求項５に記載のＵＳＢインターフェースであって、前記第２の所定角度は９０°である、ＵＳＢインターフェース。
【請求項８】
請求項１〜７のいずれか一項に記載のＵＳＢインターフェースを備える端末。
【請求項９】
請求項８に記載の端末であって、前記ＵＳＢインターフェースの前記第１の回転軸が端末印刷回路基板ＰＣＢメインボードに配置される、端末。
【発明の詳細な説明】
【技術分野】
【０００１】
本発明は電子通信分野に関し、具体的には、ユニバーサル・シリアル・バス（Ｕｎｉｖｅｒｓａｌ  Ｓｅｒｉａｌ  Ｂｕｓ、ＵＳＢと略称）のインターフェースと端末に関するものである。
【背景技術】
【０００２】
通信技術の発展に伴い、無線ネットワークは広く用いられ、移動通信端末も大いに発展され、様々な移動通信端末が絶えず現れ、形状がそれぞれ異なり、体積もますます小さくなっている。設計において、印刷回路基板（Ｐｒｉｎｔｅｄ  Ｃｉｒｃｕｉｔ  Ｂｏａｒｄ、ＰＣＢと略称）の地平面はアンテナの共振ユニットとするもので、長さは波長λの１/４以上である。従って、ＰＣＢ地平面の長さが作業波長λの１/４未満である場合、即ち通信端末のアンテナの性能の低下を意味している。通常、ＰＣＢの地平面の長さの閾値はＵＳＢ通信端末の作業する最低周波数領域によって決められ、周波数が低いほど、必要とするＰＣＢの地平面の長さが長い。
【０００３】
伝統的な通信端末は無線データカードを主として、データカードのインターフェース方式は主にＵＳＢインターフェースであり、ダイレクトインサートタイプ（Ｄｉｒｅｃｔ Ｉｎｓｅｒｔ）式のＵＳＢインターフェースもあれば、回転式ＵＳＢインターフェースもある。ダイレクトインサート式のＵＳＢインターフェースを採用する場合、データカードがコンピュータのメインボードのＵＳＢスロットに挿入すると、データカードＰＣＢメインボードのグランドとコンピュータＰＣＢメインボードのグランドとがＵＳＢインターフェースを介してよく連通され、等地レベルの同一地平面とみなすことができ、端末のＰＣＢサイズを拡大したことになり、端末製品が低い周波数におけるアンテナ指標を効果的に改善することができる。
【０００４】
回転式なＵＳＢインターフェースを採用する場合、現在同種類の製品はすべてＵＳＢインターフェースにおける接地線でコンピュータのメインボードに接続しているが、接地線の断面積が小さいため、端末とコンピュータのメインボードとの間での地平面の優れた電気的連通を実現することができなく、端末が低い周波数領域で動作する場合、ＰＣＢの長さが限られている（動作波長λの１/４未満）ため、アンテナの特性が悪くなり、設定の要求に満足することができない。図１は関連技術に係わる伝統的な回転式ＵＳＢスロットとＰＣＢとの間の接続方式を示す図である。図１に示すように、ＵＳＢインターフェース１０１は＋５Ｖ、Ｄ＋、Ｄ−、及びＧＮＤという４本のデータケーブルを有し、その中の＋５Ｖは端末に電気を供給するもので、Ｄ＋とＤ−の２本はデータ通信を行い、ＧＮＤはグランド電流の回流経路を提供するものである。地平面とはＧＮＤのみにより連通され、端末ＰＣＢ１０３の長さが限定されているので、ＰＣＢのサイズだけでは、アンテナの低い周波数共振に必要とするだけのグランド長さに満足することができないので、このようなインターフェースの端末は、低い周波数におけるアンテナ性能が高い周波数における性能よりやや劣っている。
【０００５】
回転式ＵＳＢインターフェースのグランド接続に対して、接地線の他に金属プレートでＵＳＢのケースに接続し、端末がノートパソコンに挿入される場合、ＰＣＢの地平面がＵＳＢケースを介してノートパソコンのメインボードに連通し、等価的に端末製品のグランド長さを延長させ、アンテナの低い周波数における特性が高められている。
【０００６】
しかし、このような方法では、金属プレートとＰＣＢとの間は接触することによって、電気的連通が実現されているが、金属プレートとＰＣＢとの接触先が酸化を発生する場合、アンテナの特性が低下し、両者の優れた接触を十分実現できなく、且つ量産するときの一致性も確保しにくい。
【０００７】
関連技術における上記課題に対して、いままで効果的なソリューションが提出されていない。
【発明の概要】
【発明が解決しようとする課題】
【０００８】
関連技術において、端末のＵＳＢインターフェースの実現する提案におけるアンテナの特性低下などの技術課題に対して、本発明は、少なくとも上記課題を解決するために、ＵＳＢインターフェースと端末を提供している。
【課題を解決するための手段】
【０００９】
本発明の一実施例によると、第１の金属素子に固定し接続されるＵＳＢソケットと、第１の回転軸を介して第２の金属素子に接続される前記第１の金属素子と、端末印刷回路基板（ＰＣＢ）のメインボードの接地面に電気的に接続される前記第２の金属素子とを備え、前記ＵＳＢソケットを回転するとき、前記ＵＳＢソケットにより前記第１の金属素子が、前記第１の回転軸を介し第１の所定角度を回転するように従動するＵＳＢインターフェースを提供する。
【００１０】
上記第１の回転軸は金属素子である。
【００１１】
上記第１の所定角度は２７０°である。
【００１２】
上記接地面は銅の光沢処理がされた銅塗布領域である。
【００１３】
上記ＵＳＢインターフェースは、第３の金属素子と第２の回転軸とをさらに備え、前記第３の金属素子は、前記第１の金属素子と前記第２の金属素子との間に接続され、前記第３の金属素子と前記第１の金属素子とは第２の回転軸を介して接続され、前記ＵＳＢソケットを回転するとき、前記ＵＳＢソケットにより、前記第３の金属素子が、前記第２の回転軸を介し第２の所定角度を回転するように従動する。
【００１４】
上記第２の回転部材は金属素子である。
【００１５】
上記第２の所定角度は９０°である。
【００１６】
本発明のもう一つの実施例によると、以上に説明したＵＳＢインターフェースを備える端末を提供する。
【００１７】
上記ＵＳＢインターフェースの第１の回転軸は端末印刷回路基板（ＰＣＢ）のメインボードに配置されている。
【００１８】
本発明によると、ＵＳＢソケットを第１の金属素子に固定し接続して、また当該第１の金属素子が、第１の回転軸を介しコンピュータのメインボードの印刷回路基板ＰＣＢの接地面に電気的連結する第２の金属素子に接続する技術を採用することによって、関連技術において、端末のＵＳＢインターフェースの実現方案におけるアンテナの特性低下などの問題が解決され、端末とコンピュータとの電気的連結が改善され、移動端末のアンテナ性能が高められている。
【図面の簡単な説明】
【００１９】
ここで説明する図面は本出願の一部として、本発明をさらに理解してもらうために提供するもので、本発明の例示的な実施例及びその説明は本発明を説明するもので、本発明に対する不適切な限定にならない。
【００２０】
【図１】関連技術における伝統的な回転ＵＳＢソケットとＰＣＢとの間の接続方式を示す図である。
【図２】本発明の実施例に係るＵＳＢインターフェースの構造を示す図である。
【図３】本発明の好適な実施例に係るＵＳＢインターフェースの構造を示す図である。
【発明を実施するための形態】
【００２１】
以下、図面を参照しながら、実施例を結合して本発明を説明する。なお、矛盾がない場合、本出願の実施例及び実施例における特徴が互いに組み合わせることができる。
【００２２】
図２は本発明の実施例に係わるＵＳＢインターフェースの構造を示す図である。図２に示すように、該ＵＳＢインターフェースは、第１の金属素子２０３に固定し接続するＵＳＢソケット２０１と、第１の回転軸２０５を介して第２の金属素子２０７に接続する第１の金属素子２０３と、端末ＰＣＢのメインボード３０の接地面に電気的に接続される第２の金属素子とを備え、前記第１の回転軸２０５を回転するとき、前記ＵＳＢソケット２０１により、前記第１の金属素子２０３が、前記第１の回転軸２０５を介し第１の所定角度を回転するように従動する。
【００２３】
前記構造特徴により、第１の回転軸を採用するので、コンピュータのメインボードと端末ＰＣＢボートとの間の良好な電気的連通が実現され、等価的に端末ＰＣＢボードの長さが延長され、端末製品がＰＣＢボードの長さが足りないことによるアンテナ性能の低下という問題が顕著に改善され、端末通信製品のアンテナ性能が効果的に改善される。
【００２４】
より良い電気的連通性能が実現されるように、上記第１の回転軸２０５を金属素子にすることができる。
【００２５】
上記第１の回転軸２０５は、実際の状況に応じて、例えば、２７０°、９０°などのような所定の角度（第１の所定角度）に回転するように配置することができる。なお、上記回転軸の回転方向は上下方向及び／又は左右方向に配置することができる。
【００２６】
第２の金属素子と端末のメインボードのＰＣＢの接地面との電気的接触効果をより良くするために、本発明の好適な実施例において、上記ＰＣＢ接地面は銅の光沢処理がされた銅塗布領域にすることができる。
【００２７】
上記実施例におけるＵＳＢインターフェースは実施するとき、以下のような処理手順により実現することができる。
【００２８】
ステップ１について、ＵＳＢソケットをある金属素子（即ち第１の金属素子）に固定し、当該金属素子と他方の金属素子（即ち第２の金属素子）との間には、金属回転軸（即ち第１の回転軸）により接続され、２７０°回転することができる。
【００２９】
ステップ２について、金属素子とＰＣＢのグランド銅とは良好な電気的連結を有し、圧接、半田、又は他の機械的な方法により固定される。
【００３０】
上記第１の回転軸が上下／左右方向に回転するように配置される場合、ＵＳＢインターフェースの左右／上下回転を、即ちＵＳＢインターフェースの多方位の回転を実現するには、以下のような処理を採用することができる。図３に示すように、上記ＵＳＢインターフェースは、第３の金属素子３０１と第２の回転軸３０３を備え、前記第３の金属素子３０１は、前記第１の金属素子２０３と前記第２の金属素子２０７との間に接続され、前記第３の金属素子３０１と第１の金属素子２０３とは第２の回転軸３０３を介して接続され、前記ＵＳＢソケット２０１を回転するとき、ＵＳＢソケット２０１により第３の金属素子３０１が、第２の回転軸３０３を介し第２の所定角度を回転するように従動する。
【００３１】
なお、上記第２の回転軸は、上下左右の各方位に回転するように配置してもよいし、３６０°の全方位に回転するように配置してもよい。
【００３２】
第１の回転軸２０５と類似して、電気的連通性能をより良くするためには、上記第２の回転部材は金属素子にすることができる。
【００３３】
上記第２の所定角度は実際の状況に応じて、例えば９０°などのような所定の角度を配置することができる。
【００３４】
上記実施例におけるＵＳＢインターフェースは第２の回転軸を有する場合、以下の処理手順により実現することができる。
【００３５】
ステップ１について、ＵＳＢソケットをある金属素子２０３（即ち第１の金属素子）に固定し、当該金属素子２０３と他方の金属素子３０１（即ち第３の金属素子）との間には、金属回転軸３０３（即ち第２の回転軸）により接続され、＋／−９０°回転することができる。
【００３６】
ステップ２について、金属素子３０１（即ち第３の金属素子）と他方の金属素子２０７（即ち第２の金属素子）との間には、金属回転軸２０５（即ち第１の回転軸）により接続され、＋９０°／−１８０°回転することができる。
【００３７】
ステップ３について、上記２つの金属回転軸の共同作用により、３６０°回転することが実現できる。金属素子２０７とＰＣＢのグランド銅とは良好な電気的連結を有し、圧接、半田、又は他の機械的な方法により固定される。
【００３８】
上記実施例におけるＵＳＢインターフェースが通常端末に適用されるため、本実施例は、上記ＵＳＢインターフェースを備える端末を提供する。上記端末は移動通信端末又は無線データカードである。ＵＳＢインターフェースの第１の回転軸が端末印刷回路基板ＰＣＢのメインボードに配置され、第１の回転軸とＰＣＢ地平面とは、圧接、半田、及びネジにより接続される。
【００３９】
なお、上記各金属素子は、内部が空、又は充填物が充填されるものである。
【００４０】
上記ＵＳＢインターフェースを有する無線データカード又は端末がコンピュータに接続する際に、このような金属回転軸により、コンピュータのメインボードと端末ＰＣＢボートとの間の良好な電気的連通が実現され、等価的に端末ＰＣＢボードの長さが延長され、端末製品がＰＣＢボードの長さが足りないことによるアンテナ性能の低下という問題が顕著に改善され、端末通信製品のアンテナ性能が効果的に改善され、特に端末製品の低い周波数におけるアンテナ性能が最大限に高められるとともに、製品の製造する際の一致性及び信頼性が向上され、端末通信製品の品質が上昇され、さらにコンピュータのメインボードにより通信端末の動作温度が低減することができる。
【００４１】
以上は本発明の好適な実施例に過ぎず、本発明を制限するものではない。当業者にとって、本発明は様々な変更があってもよい。本発明の精神及び原則を逸脱しない限り、いずれの補正、等価代替、及び改良などは、いずれも本発明の保護範囲に含まれる。
【符号の説明】
【００４２】
３０  メインボード
２０１  ＵＳＢソケット
２０３  第１の金属素子
２０５  第１の回転軸
２０７  第２の金属素子
３０１  第３の金属素子
３０３  第２の回転軸
【図１】
2015515066.tif 000003
【図２】
2015515066.tif 000004
【図３】
2015515066.tif 000005
【国際調査報告】
2015515066.tif 000006
2015515066.tif 000007
2015515066.tif 000008
2015515066.tif 000009
2015515066.tif 000010
2015515066.tif 000011